(57)【要約】【課題】冊子媒体を安定して捲る。【解決手段】通帳Ｐｂが外面を接触して搬送される搬送路２９と、搬送路２９から外周面の一部を突出して配置され、回転して搬送路２９上の通帳Ｐｂを搬送する一対の搬送ローラ１８と、一対の搬送ローラ１８間の搬送路２９に対向配置され、回転して搬送路２９上の通帳Ｐｂを捲る捲りローラ２４と、捲りローラ２４の側部に、搬送路２９にそれぞれ対向配置され、搬送される通帳Ｐｂの外面の反対側の主面を搬送路２９側に付勢する上部ガイド部材２６と、を有する冊子媒体取扱装置１０では、通帳Ｐｂを安定して捲ることができる。【選択図】図７
2010194981.tif 000002
【特許請求の範囲】
【請求項１】
冊子媒体を取り扱う冊子媒体取扱装置において、
前記冊子媒体が外面を接触して搬送される搬送路と、
前記搬送路から外周面の一部を突出して配置され、回転して前記搬送路上の前記冊子媒体を搬送する一対の搬送ローラと、
一対の前記搬送ローラ間の前記搬送路に対向配置され、回転して前記搬送路上の前記冊子媒体を捲る捲りローラと、
前記捲りローラの側部に、前記搬送路にそれぞれ対向配置され、搬送される前記冊子媒体の前記外面の反対側の主面を前記搬送路側に付勢する付勢部材と、
を有することを特徴とする冊子媒体取扱装置。
【請求項２】
前記捲りローラに対向して前記搬送路に配置され、搬送される前記冊子媒体の前記外面を前記搬送路に対して垂直方向に付勢する第２付勢部材をさらに有することを特徴とする請求項１記載の冊子媒体取扱装置。
【請求項３】
前記第２付勢部材に対して前記搬送ローラを挟んだ前記搬送路にそれぞれ対向配置された前記捲りローラをさらに有することを特徴とする請求項２記載の冊子媒体取扱装置。
【請求項４】
前記付勢部材の断面は、山型状であることを特徴とする請求項１記載の冊子媒体取扱装置。
【請求項５】
前記第２付勢部材の断面は、山型状であることを特徴とする請求項２記載の冊子媒体取扱装置。
【請求項６】
前記搬送ローラと対向配置され、前記搬送ローラによって搬送される前記冊子媒体に従動して回転する従動ローラをさらに有することを特徴とする請求項１記載の冊子媒体取扱装置。
【発明の詳細な説明】
【技術分野】
【０００１】
冊子媒体を取り扱う冊子媒体装置に関する。
【背景技術】
【０００２】
金融機関等の窓口では、オペレータがセットした通帳等の冊子媒体を受け入れて、記入事項の読み取り処理並びに印字処理、磁気記録部への読み書き処理等を行う処理機構が使用されている。このような処理機構では、例えば、冊子媒体の中紙に対する印字処理の過程で、処理対象の中紙に印字スペースが無くなると、次の中紙に処理を続けるために、中紙を捲るための捲り動作を行う処理機構が用意されている（例えば、特許文献１参照）。
【０００３】
以下に冊子媒体の捲り動作について説明する。
図１４は、冊子媒体取扱装置を説明するための図である。また、（Ａ）は当該装置の斜視図であり、（Ｂ）は投入側から見た（Ａ）の冊子媒体Ｂ（（Ａ）では破線で表示）の搬送時の平面図、（Ｃ）は冊子媒体Ｂの捲り動作時の平面図である。なお、図１４に示す冊子媒体取扱装置１００では、捲り動作に必要な構成要素のみを記載している。また、冊子媒体は一対の表紙と、一対の表紙で綴られた中紙とを有する。
【０００４】
冊子媒体取扱装置１００は、搬送路２９と、搬送路２９に外周面の一部を突出して配置された一対の搬送ローラ１６，１８，２０とを有する。なお、搬送ローラ１６，１８，２０はそれぞれシャフト（図示を省略）に軸支されている。また、搬送ローラ１８に対して対向配置された回転自在の従動ローラ２５と、搬送路２９上の冊子媒体Ｂを捲る捲りローラ２４とを有する。なお、従動ローラ２５及び捲りローラ２４はシャフト２３に軸支されている。搬送ローラ１６，１８，２０及び捲りローラ２４は、それぞれを軸支するシャフトを所定の方向に回転させることで回転して、冊子媒体Ｂの搬送動作並びに捲り動作を行う。このような冊子媒体取扱装置１００に対して、投入方向Ｉへ投入された冊子媒体Ｂは、搬送ローラ１８及び従動ローラ２５の間に入り込む（図１４（Ａ），（Ｂ））。
【０００５】
搬送ローラ１８及び従動ローラ２５の間に入り込んだ冊子媒体Ｂは、搬送ローラ１８の回転によりさらに搬送される。この時、従動ローラ２５は、搬送される冊子媒体Ｂに従動して回転する。冊子媒体Ｂが所定の位置まで搬送されると、冊子媒体Ｂを搬送する搬送ローラ１８等の搬送機構がロックされる。搬送が停止された冊子媒体Ｂは捲りローラ２４の回転によって中紙が捲られる。中紙の捲りが終了すると、搬送機構のロックが解除されて、冊子媒体Ｂは投入された側に搬送される。
【０００６】
ところが、冊子媒体取扱装置１００には、既述の通り、シャフト２３には従動ローラ２５と共に捲りローラ２４が軸支されている。搬送ローラ１８及び従動ローラ２５の間に投入された冊子媒体Ｂは、捲られる時に、捲りローラ２４から搬送路２９側に付勢されるため、冊子媒体Ｂの主面に撓みが生じる（図１４（Ｃ））。
【０００７】
撓んだ冊子媒体Ｂは剛性が増すため、捲りローラ２４で捲り動作を行うためには大きな摩擦力が必要となる。また、大きな摩擦力の捲りローラ２４を冊子媒体Ｂの捲り動作に使用すると、捲りローラ２４の外周面に汚れが少しずつ付着してくる。捲りローラ２４の外周面が汚れると摩擦力が低下し、冊子媒体Ｂを安定して捲ることができなくなる。
【０００８】
そこで、搬送される冊子媒体Ｂの主面に撓みの発生を抑制するために、例えば、捲りローラ２４に対して、押付け部材を対向配置する方法が提案された（例えば、特許文献２参照）。
【先行技術文献】
【特許文献】
【０００９】
【特許文献１】特開２０００−２６３９６５号公報
【特許文献２】特開２００３−１７５６８８号公報
【発明の概要】
【発明が解決しようとする課題】
【００１０】
しかし、上記特許文献２では、捲りローラに対して押付け部材を対向配置していても、従動ローラと捲りローラとの間のスペースにおいて、冊子媒体の主面の撓みが生じる。したがって、冊子媒体を安定して捲ることができないという問題点があった。
【００１１】
本発明はこのような点に鑑みてなされたものであり、冊子媒体を安定して捲ることができる冊子媒体取扱装置を提供することを目的とする。
【課題を解決するための手段】
【００１２】
上記目的を達成するために、冊子媒体を取り扱う冊子媒体取扱装置が提供される。
このような冊子媒体取扱装置は、前記冊子媒体が外面を接触して搬送される搬送路と、前記搬送路から外周面の一部を突出して配置され、回転して前記搬送路上の前記冊子媒体を搬送する一対の搬送ローラと、一対の前記搬送ローラ間の前記搬送路に対向配置され、回転して前記搬送路上の前記冊子媒体を捲る捲りローラと、前記捲りローラの側部に、前記搬送路にそれぞれ対向配置され、搬送される前記冊子媒体の前記外面の反対側の主面を前記搬送路側に付勢する付勢部材と、を有する。
【００１３】
この冊子媒体取扱装置は、搬送路で冊子媒体が外面を接触して搬送され、一対の搬送ローラが搬送路から外周面の一部を突出して配置され、回転して搬送路上の冊子媒体を搬送して、捲りローラが一対の搬送ローラ間の搬送路に対向配置され、回転して搬送路上の冊子媒体を捲り、付勢部材が捲りローラの側部に、搬送路にそれぞれ対向配置され、搬送される冊子媒体の外面の反対側の主面を搬送路側に付勢する。
【発明の効果】
【００１４】
上記冊子媒体取扱装置では、冊子媒体を安定して捲ることができる。
【図面の簡単な説明】
【００１５】
【図１】実施の形態の記帳プリンタの機能ブロック図である。
【図２】実施の形態の冊子媒体取扱装置の斜視図である。
【図３】実施の形態の冊子媒体取扱装置の搬送路の斜視図である。
【図４】実施の形態の冊子媒体取扱装置の搬送路の平面図である。
【図５】実施の形態の冊子媒体取扱装置が有するガイド部材を説明するための図である。
【図６】実施の形態の冊子媒体取扱装置で行われる通帳の搬送動作及び捲り動作をそれぞれ説明するための側面図（その１）である。
【図７】実施の形態の冊子媒体取扱装置で行われる通帳の搬送動作及び捲り動作をそれぞれ説明するための平面図（その１）である。
【図８】実施の形態の冊子媒体取扱装置で行われる通帳の搬送動作及び捲り動作をそれぞれ説明するための側面図（その２）である。
【図９】実施の形態の冊子媒体取扱装置で行われる通帳の搬送動作及び捲り動作をそれぞれ説明するための平面図（その２）である。
【図１０】実施の形態の冊子媒体取扱装置で行われる通帳の搬送動作及び捲り動作をそれぞれ説明するための側面図（その３）である。
【図１１】実施の形態の冊子媒体取扱装置で行われる通帳の搬送動作及び捲り動作をそれぞれ説明するための側面図（その４）である。
【図１２】実施の形態の冊子媒体取扱装置で行われる通帳の搬送動作及び捲り動作をそれぞれ説明するための側面図（その５）である。
【図１３】実施の形態の冊子媒体取扱装置が有するガイド部材を説明するための別の図である。
【図１４】冊子媒体取扱装置を説明するための図である。
【発明を実施するための形態】
【００１６】
以下、実施の形態について、図面を参照しながら説明する。
なお、本実施の形態では、ＡＴＭ（Automated Teller Machine：現金自動預け入れ機）等に組み込んだ記帳プリンタに冊子媒体取扱装置が設置されている。また、冊子媒体として通帳の場合を例に挙げて説明する。
【００１７】
図１は、実施の形態の記帳プリンタの機能ブロック図である。
記帳プリンタ１は、通帳投入口２、磁気ストライプユニット３、イメージスキャナ４、印字部５、制御部６及び冊子媒体取扱装置１０を有する。なお、通帳は、表表紙と、裏表紙と、表表紙及び裏表紙に綴り目で綴られた複数の中紙とを有する。
【００１８】
通帳投入口２は、ユーザによって中紙が開かれた状態で通帳が投入され、また、記帳プリンタ１内で行われる所定の処理が完了された通帳が排出される。通帳投入口２にはセンサ（図示を省略）が備えられており、センサにより投入された通帳が検知されると、その旨がその他の構成要素に通知される。
【００１９】
磁気ストライプユニット３は、通帳にあらかじめ付加されている磁気ストライプ（ＭＳ）から磁気情報（例えば、顧客の口座番号、前回の記帳記録等）を読み出したり、通帳に対して新たに磁気ストライプ（ＭＳ）へ磁気情報を書き込んだりする。
【００２０】
イメージスキャナ４は、通帳上の印字開始位置並びに後に説明する捲り動作による中紙の捲りが適切に行われたかを確認する。
印字部５は、印字ヘッドを有しており、ユーザがＡＴＭに対して行った、入金、出金、振込み等の取引情報を通帳に書き込む。
【００２１】
制御部６は、上記構成並びに冊子媒体取扱装置１０の動作を制御する。
冊子媒体取扱装置１０は、上記の構成により所定の処理が行われた通帳に対して、中紙の捲り、通帳の閉じを行うことができる。冊子媒体取扱装置１０の詳細については後述する。
【００２２】
以上の構成を有する記帳プリンタ１では、中紙が開かれた状態で通帳が通帳投入口２から投入されると、磁気ストライプユニット３、イメージスキャナ４、印字部５にてそれぞれ所定の処理が行われて、冊子媒体取扱装置１０に搬送される。冊子媒体取扱装置１０は、例えば、中紙を所望の中紙分だけ捲って、イメージスキャナ４や印字部５にその中紙に対する処理を実行させることができる。これと共に、後に説明するように、最終的に通帳を排出する際等に、表表紙及び裏表紙を閉じた状態で通帳を搬送させることも可能になっている。
【００２３】
次に、冊子媒体取扱装置１０について説明する。
図２は、実施の形態の冊子媒体取扱装置の斜視図、図３は、実施の形態の冊子媒体取扱装置の搬送路の斜視図、図４は、実施の形態の冊子媒体取扱装置の搬送路の平面図である。なお、図３は、図２の搬送路２９周辺の通帳Ｐｂの搬送動作及び捲り動作を行う主な構成要素を示している。図４は、図３を投入方向Ｉから見た平面図である。
【００２４】
冊子媒体取扱装置１０は、天板１１と、天板１１に対向配置された搬送路２９と、当該装置の両側にそれぞれ配置されたカムモータ１２及び、搬送モータ１４並びに捲りモータ２２とをそれぞれ有する。
【００２５】
搬送路２９の内部にはシャフト１５，１７，１９（図６を参照）が順に並列して配置されている。さらに、搬送ローラ１６，１８，２０が搬送路２９に外周面の一部を突出してシャフト１５，１７，１９にそれぞれ軸支されている。また、シャフト１５は搬送モータ１４と接続されている。さらに、シャフト１５は、シャフト１７とギア２１ｂとで、シャフト１９とベルト２１ａとでそれぞれ接続されている。したがって、搬送モータ１４の駆動により、シャフト１５が回転駆動すると、シャフト１５の回転駆動がシャフト１７，１９にギア２１ｂ及びベルト２１ａを介してそれぞれ伝動する。また、実際には、従動ローラ１６ａ，２０ａはシャフト１５ａ，１９ａに軸支されて、搬送ローラ１６，２０にそれぞれ対向配置されている（図６等参照）が、図２及び図３では図示を省略している。
【００２６】
また、搬送路２９には、搬送ローラ１８の間、及び各搬送ローラ１８の両側に下部ガイド部材３０が一体的に形成されている。
一方、シャフト２３はシャフト１７に対向配置されている。捲りローラ２４及び従動ローラ２５がシャフト２３にそれぞれ軸支されている。捲りローラ２４は、従動ローラ２５の間に配置されており、外周面の一部に高摩擦部材が配置されている。従動ローラ２５は、搬送ローラ１８に対向配置されて、回転自在にシャフト２３に軸支されている。
【００２７】
さらに、搬送路２９にはシャフト２３を挟んでパネル２７，２８が開閉自在に配置されている（図６参照）。パネル２７，２８は、カムモータ１２の駆動によりカム１３を介して、シャフト１５，１９側を支点として、シャフト２３側が開閉する。
【００２８】
搬送路２９のシャフト１５，１７の間の内部にはプレッシャ３１（図６を参照）が配置されており、カムモータ１２の駆動によりカム１３を介して、搬送路２９に突出して搬送される通帳Ｐｂを押し上げて、搬送路２９内部に退避する。
【００２９】
次に、上部ガイド部材２６及び下部ガイド部材３０についてさらに説明する。
図５は、実施の形態の冊子媒体取扱装置が有するガイド部材を説明するための図である。なお、（Ａ）は、図４の上部ガイド部材２６及び下部ガイド部材３０の周辺の拡大図、（Ｂ）は、（Ａ）の一点鎖線Ｘ−Ｘによる断面図である。
【００３０】
シャフト２３には、既述の通り、捲りローラ２４及び従動ローラ２５の間に上部ガイド部材２６が一体的に形成されている。同様に、下部ガイド部材３０は捲りローラ２４に対向配置され、上部ガイド部材２６と重なり合わないように搬送路２９に一体的に形成されている。上部ガイド部材２６及び下部ガイド部材３０は、例えば、板状である。また、通帳Ｐｂとの摩擦が小さい材料を用いることにより、搬送される通帳Ｐｂとの摩擦を減らし、通帳Ｐｂを円滑に搬送して、捲ることが可能となる（図５（Ａ））。
【００３１】
上部ガイド部材２６及び下部ガイド部材３０の断面の形状は、シャフト１５，１９側が丸みを帯びた山型状である。このため、後述するように、通帳Ｐｂが上部ガイド部材２６及び下部ガイド部材３０の間を円滑に搬送されて、捲られる（図５（Ｂ））。
【００３２】
次に、このような冊子媒体取扱装置１０に対して投入された通帳Ｐｂに対する搬送動作及び捲り動作について説明する。
図６、図８及び図１０〜図１２は、実施の形態の冊子媒体取扱装置で行われる通帳の搬送動作及び捲り動作をそれぞれ説明するための側面図、図７、図９は、実施の形態の冊子媒体取扱装置で行われる搬送動作及び捲り動作をそれぞれ説明するための平面図である。
【００３３】
ユーザによって所定の中紙が開かれた状態の通帳Ｐｂが記帳プリンタ１の通帳投入口２から投入される。磁気ストライプユニット３、イメージスキャナ４及び印字部５によって所定の処理が行われた通帳Ｐｂは、冊子媒体取扱装置１０に投入方向Ｉに沿って投入される（図１）。
【００３４】
投入された通帳Ｐｂは表表紙及び裏表紙の外面を搬送路２９に接して、搬送ローラ２０及び従動ローラ２０ａの回転により搬送路２９を搬送されて、搬送ローラ１８及び従動ローラ２５の間に入り込む。通帳Ｐｂは搬送ローラ１８の回転によりさらに搬送路２９を搬送させられる。さらに、通帳Ｐｂは、搬送ローラ１６及び従動ローラ１６ａの回転により、捲り動作が行われる所定の位置まで搬送される。そして、搬送ローラ１６，１８，２０はロックされて、通帳Ｐｂは当該位置で停止する。なお、従動ローラ１６ａ，２０ａ，２５は、搬送する通帳Ｐｂの開かれた中紙面から摩擦されて、搬送する通帳Ｐｂに従動して回転する（図６及び図７）。
【００３５】
次いで、パネル２７を搬送路２９から退避させる。通帳Ｐｂの中紙Ｐｃを捲り上げるために、捲りローラ２４を図中反時計回り（実線矢印）方向に回転させはじめる（図８）。なお、図８では後述のセンサ３２の記載を省略している。
【００３６】
この時、上部ガイド部材２６は従動ローラ２５及び捲りローラ２４の間のスペースに発生する通帳Ｐｂのシャフト２３側への撓みを矯正する様に搬送路２９側に付勢する。同時に、下部ガイド部材３０は、捲りローラ２４による通帳Ｐｂの搬送路２９側への撓みをシャフト２３側に矯正する様に付勢する（図９）。
【００３７】
このようにして、上部ガイド部材２６及び下部ガイド部材３０によって通帳Ｐｂは撓みが搬送路２９と平行に矯正されているために、捲りローラ２４により安定して捲り上げられる。中紙Ｐｃが所定の高さまで捲り上がると、センサ３２によって検知される（図１０）。
【００３８】
なお、図示を省略しているが、センサ３２により捲り上がった中紙Ｐｃが検知されると、捲りローラ２４は、外周面の一部に配置した高摩擦部部材が図中上方向に位置するようにシャフト２３が回転して停止する。
【００３９】
中紙Ｐｃは、捲りローラ２４が再び回転してさらに捲り上げられると、捲りローラ２４上に跳ね上げられる。その後パネル２７が搬送路２９側に接近して、パネル２７により跳ね上げられた中紙Ｐｃが搬送路２９側に付勢される。この時、跳ね上げられた中紙Ｐｃの状態はセンサ３２により検知される（図１１）。
【００４０】
次いで、搬送ローラ１６，１８，２０のロックが解除されると共に、パネル２７を再び退避させる。そして、搬送ローラ１６，１８，２０を図中反時計回り（実線矢印）方向にそれぞれ回転させる。この時、搬送ローラ１６，１８，２０の回転に応じて従動ローラ１６ａ，２５，２０ａは図中時計回り（破線矢印（ｂ））方向にそれぞれ回転する。そして、通帳Ｐｂは、矢印Ｙ方向側に搬送されながら、中紙Ｐｃが捲られる（図１２）。
【００４１】
中紙Ｐｃが捲られた通帳Ｐｂは、再び、通帳投入口２側に搬送されて、外部に排出される。または、通帳投入口２側に搬送される途中において、磁気ストライプユニット３、イメージスキャナ４及び印字部５によって所定の処理等が行われ、必要があれば再び冊子媒体取扱装置１０に搬送される。
【００４２】
上記冊子媒体取扱装置１０では、搬送ローラ１８及び従動ローラ２５の間に入り込んだ通帳Ｐｂに対して、上部ガイド部材２６は従動ローラ２５及び捲りローラ２４の間の通帳Ｐｂのシャフト２３側への撓みを搬送路２９側に付勢する。同様に、下部ガイド部材３０は、捲りローラ２４による通帳Ｐｂの搬送路２９側への撓みをシャフト２３側に付勢する。これにより、搬送された通帳Ｐｂの撓みを搬送路２９に対して水平に矯正することで安定して捲りあげることができる。
【００４３】
そこで、上部ガイド部材２６及び下部ガイド部材３０に代わって通帳Ｐｂの撓みを付勢するために、例えば、以下のような場合でも同様の効果が得られる。
図１３は、実施の形態の冊子媒体取扱装置が有するガイド部材を説明するための別の図である。
【００４４】
シャフト２３には、捲りローラ２４及び従動ローラ２５の間に箱状の上部ガイド部材２６ａが一体的に形成されている。一方、搬送路２９にも同様に箱状の下部ガイド部材（図示を省略）が形成されている。この場合には、上記の場合と比較して、通帳Ｐｂの撓みに対する付勢面積が広がるために、通帳Ｐｂを確実に真っ直ぐに矯正することが可能となる（図１３（Ａ））。
【００４５】
また、その他の例として、捲りローラ２４及び従動ローラ２５の間に尖塔状の上部ガイド部材２６ｂ、搬送路２９にも同様に尖塔状の下部ガイド部材（図示を省略）を形成しても構わない（図１３（Ｂ））。
【００４６】
このような上部ガイド部材２６ａ，２６ｂ及び下部ガイド部材でも、上記と同様に、搬送される通帳Ｐｂの中紙面の撓みを搬送路２９に平行になるように矯正することが可能となる。なお、上部ガイド部材２６ａ，２６ｂ及び下部ガイド部材の断面の形状は上記と同様に山型状であることが好ましい。
【００４７】
このように冊子媒体取扱装置１０において、シャフト２３に、捲りローラ２４及び従動ローラ２５の間に上部ガイド部材２６，２６ａ，２６ｂを、搬送路２９に捲りローラ２４に対向配置され、上部ガイド部材２６，２６ａ，２６ｂと重なり合わないように下部ガイド部材３０をそれぞれ形成した。これにより、通帳Ｐｂが搬送ローラ１８及び従動ローラ２５の間に入り込み、通帳Ｐｂを捲る時に、上部ガイド部材２６は従動ローラ２５及び捲りローラ２４の間の通帳Ｐｂのシャフト２３側への撓みを搬送路２９側に、下部ガイド部材３０は、捲りローラ２４による通帳Ｐｂの搬送路２９側への撓みをシャフト２３側にそれぞれ抑える。上部ガイド部材２６，２６ａ，２６ｂ及び下部ガイド部材３０によって通帳Ｐｂの撓みが、搬送路２９に平行になるように矯正された状態で通帳Ｐｂが捲りローラ２４により安定して捲られるようになる。
【符号の説明】
【００４８】
１  記帳プリンタ
２  通帳投入口
３  磁気ストライプユニット
４  イメージスキャナ
５  印字部
６  制御部
１０  冊子媒体取扱装置
１１  天板
１２  カムモータ
１３  カム
１４  搬送モータ
１５，１５ａ，１７，１９，１９ａ，２３  シャフト
１６，１８，２０  搬送ローラ
１６ａ，２０ａ，２５  従動ローラ
２１ａ  回転ベルト
２１ｂ  ギア
２２  捲りモータ
２４  捲りローラ
２６，２６ａ，２６ｂ  上部ガイド部材
２７，２８  パネル
２９  搬送路
３０  下部ガイド部材
３１  プレッシャ
３２  センサ
Ｂ  冊子媒体
Ｐｂ  通帳
Ｐｃ  中紙
【図１】
2010194981.tif 000003
【図２】
2010194981.tif 000004
【図３】
2010194981.tif 000005
【図４】
2010194981.tif 000006
【図５】
2010194981.tif 000007
【図６】
2010194981.tif 000008
【図７】
2010194981.tif 000009
【図８】
2010194981.tif 000010
【図９】
2010194981.tif 000011
【図１０】
2010194981.tif 000012
【図１１】
2010194981.tif 000013
【図１２】
2010194981.tif 000014
【図１３】
2010194981.tif 000015
【図１４】
2010194981.tif 000016